(57)【要約】【課題】電気デバイスを点検する頻度を削減するとともに、外部からの衝撃によって筐体の一部が欠損したとしても、活電部が電気デバイスの外部に露出することを防止できる電気デバイスを提供する。【解決手段】電気デバイスは、活電部と、活電部を収容する筐体と、筐体の内部に配置されるとともに筐体の内壁面の少なくとも一部を覆う絶縁部材と、を備え、絶縁部材は、筐体の一部が欠損した欠損部分が絶縁部材に力を加えた際に、筐体の内壁面に沿った方向に広がるように構成される。【選択図】図２
2020093561.tif 000002
【特許請求の範囲】
【請求項１】
活電部と、
前記活電部を収容する筐体と、
前記筐体の内部に配置されるとともに前記筐体の内壁面の少なくとも一部を覆う絶縁部材と、
を備え、
前記絶縁部材は、前記筐体の一部が欠損した欠損部分が前記絶縁部材に力を加えた際に、前記筐体の内壁面に沿った方向に広がるように構成される電気デバイス。
【請求項２】
前記絶縁部材は、前記筐体の内壁面に貼り付けられ、前記筐体よりも延性の高い延性シートを含む、請求項１に記載の電気デバイス。
【請求項３】
前記絶縁部材は、前記筐体の内壁面に面するように設けられ、第１山折り部及び第１谷折り部から構成される蛇腹形状を有する第１蛇腹紙を含む、請求項１又は２に記載の電気デバイス。
【請求項４】
前記絶縁部材は、前記第１蛇腹紙とは異なる第２蛇腹紙をさらに含み、前記第２蛇腹紙は、前記筐体の内壁面に面するように設けられ、第２山折り部及び第２谷折り部から構成される蛇腹形状を有し、
前記第２山折り部の稜線は前記第１山折り部の稜線と交差する請求項３に記載の電気デバイス。
【請求項５】
前記絶縁部材は、前記筐体の内壁面に面するように設けられる複数の絶縁紙を含み、
前記複数の絶縁紙は、前記複数の絶縁紙のうち少なくともと２つが互いに部分的に重なって配置される請求項１から４の何れか一項に記載の電気デバイス。
【請求項６】
前記絶縁部材は、
前記筐体の内壁面に貼り付けられ、前記筐体よりも延性の高い延性シートと、
前記延性シートを挟んで前記筐体の内壁面とは反対側に前記延性シートに貼り付けられる絶縁紙と、
を含む請求項２に記載の電気デバイス。
【請求項７】
前記絶縁部材は、
前記筐体の内壁面に沿った方向に隙間を空けて前記筐体の内壁面に貼り付けられ、前記筐体よりも延性の高い複数の延性シートと、
前記筐体の内壁面に沿った方向に隣り合う前記延性シート同士を連結するように設けられる絶縁紙と、
を含む請求項２に記載の電気デバイス。
【発明の詳細な説明】
【技術分野】
【０００１】
本開示は、電気デバイスに関する。
【背景技術】
【０００２】
従来、電動モータやバッテリなどの電気デバイスは、外部からの衝撃によって筐体の一部が欠損したとしても、電流が流れる活電部（例えば、ステータや極板）は露出されないようになっている。この活電部の露出を防止する方法は、例えば、筐体の内側又は外側に金属によって形成されるプロテクタを設ける方法や、活電部を樹脂モールドによって覆う方法が挙げられる。
【０００３】
その他の方法として、特許文献１には、張力が発生している状態で筐体の内壁面に固定されている弾性シートを設けることで、車両衝突時に筐体の一部が欠損したとしても、この弾性シートが有する弾性を利用することによって、欠損部が塞がれることが記載されている。
【先行技術文献】
【特許文献】
【０００４】
【特許文献１】特開２０１８−１５４１９４号公報
【発明の概要】
【発明が解決しようとする課題】
【０００５】
しかしながら、特許文献１に記載の方法では、弾性シートは張力を維持し続ける必要があるので、速やかに劣化してしまう。このため、電気デバイスの点検を頻繁に行う必要がある。
【０００６】
本発明は上述の課題に鑑みなされたものであり、電気デバイスを点検する頻度を削減するとともに、外部からの衝撃によって筐体の一部が欠損したとしても、活電部が電気デバイスの外部に露出することを防止できる電気デバイスを提供することを目的とする。
【課題を解決するための手段】
【０００７】
（１）本発明の少なくとも一実施形態に係る電気デバイスは、活電部と、前記活電部を収容する筐体と、前記筐体の内部に配置されるとともに前記筐体の内壁面の少なくとも一部を覆う絶縁部材とを備え、前記絶縁部材は、前記筐体の一部が欠損した欠損部分が前記絶縁部材に力を加えた際に、前記筐体の内壁面に沿った方向に広がるように構成される。
【０００８】
上記（１）の構成によれば、欠損部分が絶縁部材に力を加えた際に、絶縁部材は筐体の内壁面に沿った方向に広がるため、活電部が電気デバイスの外部に露出することを防止できる。また、特許文献１のように絶縁部材に対して予め力を加えておく必要がないので、絶縁部材の劣化は緩やかであり、電気デバイスを点検する頻度を削減することができる。
【０００９】
（２）幾つかの実施形態では、上記（１）に記載の構成において、前記絶縁部材は、前記筐体の内壁面に貼り付けられ、前記筐体よりも延性の高い延性シートを含む。この（２）の構成によれば、絶縁部材は、筐体の欠損部分が広がると同時に筐体の内壁面に沿った方向に断裂することなく延びるので、欠損部分を覆うことができる。このため、筐体の一部が欠損する際に活電部が電気デバイスの外部に露出することを防止できる。
【００１０】
（３）幾つかの実施形態では、上記（１）又は（２）に記載の構成において、前記絶縁部材は、前記筐体の内壁面に面するように設けられ、第１山折り部及び第１谷折り部から構成される蛇腹形状を有する第１蛇腹紙を含む。この（３）の構成によれば、外部からの衝撃によって筐体の一部が欠損して、欠損部分が第１蛇腹紙に力を加えたとしても、第１蛇腹紙は蛇腹形状を有するので、筐体の内壁面に沿った方向に展開し、欠損部分を覆うことができる。このため、筐体の一部が欠損する際に活電部が電気デバイスの外部に露出することを防止できる。
【００１１】
（４）幾つかの実施形態では、上記（３）に記載の構成において、前記絶縁部材は、前記第１蛇腹紙とは異なる第２蛇腹紙をさらに含み、前記第２蛇腹紙は、前記筐体の内壁面に面するように設けられ、第２山折り部及び第２谷折り部から構成される蛇腹形状を有し、前記第２山折り部の稜線は前記第１山折り部の稜線と交差する。
【００１２】
欠損部分が一方向に沿って長く延びている場合（例えば、欠損部分が上下方向に細長い場合）には、第１蛇腹紙が展開することで欠損部分を覆うことができる。しかし、欠損部分が一方向だけでなく、この一方向とは異なる方向にも沿って長く延びている場合には、第１蛇腹紙が展開するだけでは欠損部分を覆えない可能性がある。上記（４）の構成によれば、第２山折り部の稜線は第１山折り部の稜線と交差するので、第２蛇腹紙は第１蛇腹紙とは異なる方向に沿って展開する。よって、欠損部分が複数方向に沿って長く延びていても、第１蛇腹紙及び第２蛇腹紙の両方が展開することで、第１蛇腹紙だけが展開する場合と比較して欠損部分をより確実に覆うことができる。このため、筐体の一部が欠損する際に活電部が電気デバイスの外部に露出することをさらに防止できる。
【００１３】
（５）幾つかの実施形態では、上記（１）から（４）の何れか１つに記載の構成において、前記絶縁部材は、前記筐体の内壁面に面するように設けられる複数の絶縁紙を含み、前記複数の絶縁紙は、前記複数の絶縁紙のうち少なくともと２つが互いに部分的に重なって配置される。
【００１４】
上記（５）の構成によれば、外部からの衝撃によって筐体の一部が欠損して、欠損部分が複数の絶縁紙に力を加えたとしても、複数の絶縁紙のうち少なくともと２つが互いに部分的に重なって配置されるので、この重なっている部分が互いに対してスライドするようにして筐体の内壁面に沿った方向に展開し、欠損部分を覆うことができる。このため、筐体の一部が欠損する際に活電部が電気デバイスの外部に露出することを防止できる。
【００１５】
（６）幾つかの実施形態では、上記（２）に記載の構成において、前記絶縁部材は、前記筐体の内壁面に貼り付けられ、前記筐体よりも延性の高い延性シートと、前記延性シートを挟んで前記筐体の内壁面とは反対側に前記延性シートに貼り付けられる絶縁紙と、を含む。
【００１６】
（７）幾つかの実施形態では、上記（２）に記載の構成において、前記絶縁部材は、前記筐体の内壁面に沿った方向に隙間を空けて前記筐体の内壁面に貼り付けられ、前記筐体よりも延性の高い複数の延性シートと、前記筐体の内壁面に沿った方向に隣り合う前記延性シート同士を連結するように設けられる絶縁紙と、を含む。
【００１７】
上記（６）及び（７）の構成によれば、絶縁部材は、延性シート及び絶縁紙の両方で欠損部分を覆うことができるので、絶縁部材の絶縁性の強化を図ることができる。また、上記（６）の構成によれば、絶縁紙は延性シートを挟んで筐体の内壁面とは反対側に延性シートに貼り付けられるので、いずれか一方が破損したとしてても、他方によって活電部が電気デバイスの外部に露出することを防止できる。
【発明の効果】
【００１８】
本発明の少なくとも一実施形態によれば、電気デバイスを点検する頻度を削減するとともに、外部からの衝撃によって筐体の一部が欠損したとしても、活電部が電気デバイスの外部に露出することを防止できる。
【図面の簡単な説明】
【００１９】
【図１】本発明の第１実施形態に係る電動モータを示す概略構成図である。
【図２】本発明の第１実施形態に係る絶縁部材の作用を説明するための模式図である。
【図３】本発明の第２実施形態に係る絶縁部材を示す模式図である。
【図４】本発明の第３実施形態に係る絶縁部材を模式的に示した斜視図である。
【図５】本発明の第４実施形態に係る絶縁部材を示す模式図である。
【図６】本発明の第５実施形態に係る絶縁部材を示す模式図である。
【図７】図６に示す絶縁部材を矢印Ａの方向から視たときの図である。
【図８】本発明の第６実施形態に係る絶縁部材を示す模式図である。
【図９】本発明の第６実施形態に係る絶縁部材の作用を説明するための模式図である。
【発明を実施するための形態】
【００２０】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
【００２１】
以下に説明する本発明の幾つかの実施形態に係る電気デバイスは、３０Ｖ以上の高電圧の電流が流れる活電部と、この活電部を収容する筐体とを備えている。このような電気デバイスは、例えば、電動モータやバッテリであって、各実施形態では、車両に搭載される電動モータを例にして説明する。この場合、ステータが活電部にモータハウジングが筐体に該当する。
【００２２】
（第１実施形態）
図１を用いて、本発明の第１実施形態に係る電動モータ１の構成について説明する。電動モータ１（電気デバイス）は、軸受２により回転可能に支持される回転軸３と、回転軸３に固定されたロータ４と、ロータ４の周囲に離間して配置され、電磁力によってロータ４に回転力を付与するステータ５（活電部）と、ステータ５を収容するモータハウジング６（筐体）と、モータハウジング６の内部に配置されるとともにモータハウジング６の内壁面６ａを覆う絶縁部材９と、を備える。
【００２３】
ステータ５には、不図示のステータコイルが巻回されており、このステータコイルに交流電流が通電されることで、ステータ５に電圧（励磁電圧）が印加され磁界が発生する。ロータ４には例えば永久磁石が設けられ、ステータ５が発生する磁界によってロータ４が回転するように構成されている。
【００２４】
モータハウジング６には、ロータ４やステータ５を収容する収容空間１０が形成されている。この収容空間１０は密閉可能に構成されている。また、モータハウジング６には、冷却水のような冷媒が流通するウォータージャケット８が形成されてもよい。このようなモータハウジング６は、アルミニウムなどのような比較的熱伝導性が優れている金属によって形成されており、ステータ５で発生した熱がモータハウジング６に伝わるようになっている。尚、本発明はこれに限定されるものではなく、他の実施形態では、モータハウジング６はステンレスや鋼材などによって形成されていてもよい。
【００２５】
絶縁部材９は、モータハウジング６よりも延性が高く、絶縁性を有している延性シート９Ａ（９）である。延性シート９Ａは、フッ素ゴム、シリコンゴム、ニトリルゴム、エチレンプロピレンゴム、エチレンプロピレンジエンゴム等のゴム材料や、フッ素樹脂、ナイロン樹脂、アクリル樹脂等の樹脂材料によって形成される。このような延性シート９Ａは、モータハウジング６の内壁面６ａが収容空間１０に対して露出されないように、モータハウジング６の内壁面６ａの全面に貼り付けられている。ただし、延性シート９Ａは、必ずしもモータハウジング６の内壁面６ａの全面に貼り付けられる必要はなく、例えば、モータハウジング６のうち欠損しやすい部分が予めわかっているような場合には、欠損しやすい部分を覆うようにモータハウジング６の内壁面６ａの一部に貼り付けられてもよい。
【００２６】
次に、図２を用いて、この第１実施形態に係る絶縁部材９（延性シート９Ａ）の構成によって導かれれる作用について説明する。例えば、車両の衝突などによって、電動モータ１の周辺に設けられている周辺機器の一部が衝突物１００として電動モータ１に衝突すると、モータハウジング６の一部に力（衝突力Ｆ）が加えられ、モータハウジング６の一部が欠損することがある。
【００２７】
モータハウジング６の一部が欠損した欠損部分１２は、互いに分離した損傷領域１２Ａと欠損領域１２Ｂとを含む。損傷領域１２Ａは、衝突物１００が電動モータ１に衝突することによって変形するモータハウジング６の一部である。欠損領域１２Ｂは、衝突物１００が電動モータ１に衝突することによって形成された隙間であり、損傷領域１２Ａ、１２Ａ間を分断している。
【００２８】
モータハウジング６の一部が衝突力Ｆによって欠損すると、損傷領域１２Ａは、収容空間１０に向かっていくように曲げられ、衝突力Ｆの分力である外力ＦＡが延性シート９Ａに伝えられる。延性シート９Ａは、外力ＦＡが伝えられると、収容空間１０に向かって突出するように延性シート９Ａの一部が引き延ばされる。言い換えると、図２に示すように、延性シート９Ａの一部が変形している変形部１４が形成される。また、延性シート９Ａは、モータハウジング６よりも延性が高いので、変形部１４は欠損部分１２全体を覆うようにしてモータハウジング６の内壁面６ａに沿った方向に広がる。つまり、モータハウジング６の内壁面６ａに沿った方向に広がった延性シート９Ａが、欠損部分１２において損傷領域１２Ａ，１２Ａ間に生じた欠損領域１２Ｂを覆う。
【００２９】
第１実施形態によれば、延性シート９Ａは、モータハウジング６の内壁面６ａの全面に貼り付けられ、モータハウジング６よりも延性が高い。このため、電動モータ１の外部からの衝撃によってモータハウジング６の一部が欠損して、損傷領域１２Ａが延性シート９Ａに外力ＦＡを加えたとしても、延性シート９Ａは欠損部分１２が広がると同時にモータハウジング６の内壁面６ａに沿った方向に断裂することなく延びる。よって、延性シート９Ａが欠損領域１２Ｂを覆うので、収容空間１０に収容されているステータ５が電動モータ１の外部に露出することを防止できる。また、特許文献１のように絶縁部材９（延性シート９Ａ）に対して予め力を加えておく必要がないので、延性シート９Ａの劣化は緩やかであり、電動モータ１を点検する頻度を削減することができる。
【００３０】
（第２実施形態）
図３を用いて、本発明の第２実施形態に係る電動モータ１について説明する。第２実施形態において、第１実施形態の構成要件と同じものは同じ参照符号を付し、その詳細な説明は省略する。図３の（ａ）には、本発明の第２実施形態に係る電動モータ１に設けられる絶縁部材９の構成が示されている。図３の（ｂ）には、衝突物１００が電動モータ１に衝突した際に、この絶縁部材９の構成によって導かれる作用が示されている。
【００３１】
図３の（ａ）に示すように、絶縁部材９は、モータハウジング６の内壁面６ａに面するように設けられ、複数の第１山折り部１６及び第１谷折り部１８が交互に形成される蛇腹形状を有する第１蛇腹紙９Ｂ（９）である。第１山折り部１６は電動モータ１の外部に向かって突出して鋭角の第１角度θ１を形成するように折り曲げられており、第１谷折り部１８はモータハウジング６の内壁面６ａから収容空間１０に向かって離れるように突出して鋭角の第２角度θ２を形成するように折り曲げられている。
【００３２】
図３の（ｂ）に示すように、衝突物１００が電動モータ１に衝突し、モータハウジング６の一部が衝突力Ｆによって欠損すると、損傷領域１２Ａは、収容空間１０に向かっていくように曲げられ、外力ＦＡが第１蛇腹紙９Ｂに伝えられる。第１蛇腹紙９Ｂは、外力ＦＡが伝えられると、少なくとも１つの第１山折り部１６の第１角度θ１、又は少なくとも１つの第１谷折り部１８の第２角度θ２が大きくなり、第１蛇腹紙９Ｂの一部がモータハウジング６の内壁面６ａに沿った方向に展開する（第１蛇腹紙９Ｂの一部が平坦に近づく、又は平坦になる）。そして、モータハウジング６の内壁面６ａに沿った方向に展開した第１蛇腹紙９Ｂが、欠損部分１２において損傷領域１２Ａ，１２Ａ間に生じた欠損領域１２Ｂを覆う。
【００３３】
第２実施形態によれば、電動モータ１の外部からの衝撃によってモータハウジング６の一部が欠損して、損傷領域１２Ａが第１蛇腹紙９Ｂに外力ＦＡを加えたとしても、第１蛇腹紙９Ｂは蛇腹形状を有するので、第１山折り部１６又は第１谷折り部１８がモータハウジング６の内壁面６ａに沿った方向に展開し、欠損領域１２Ｂを覆うことができる。このため、モータハウジング６の一部が欠損する際にステータ５が電動モータ１の外部に露出することを防止できる。
【００３４】
（第３実施形態）
図４を用いて、本発明の第３実施形態に係る電動モータ１について説明する。第３実施形態において、第１実施形態及び第２実施形態の構成要件と同じものは同じ参照符号を付し、その詳細な説明は省略する。
【００３５】
絶縁部材９は、第１蛇腹紙９Ｂと、第１蛇腹紙９Ｂとは異なる第２蛇腹紙９Ｃとを含む。第２蛇腹紙９Ｃは、第１蛇腹紙９Ｂに対してモータハウジング６とは反対側に位置し、モータハウジング６の内壁面６ａに面するように収容空間１０内に設けられる。第２蛇腹紙９Ｃは、第１蛇腹紙９Ｂと同様に、複数の第２山折り部２０及び第２谷折り部２２が交互に形成される蛇腹形状を有する。第１蛇腹紙９Ｂと第２蛇腹紙９Ｃとは互いに重なり合うように設けられている。また、第１蛇腹紙９Ｂの第１山折り部１６の稜線１７と第２蛇腹紙９Ｃの第２山折り部２０の稜線２１とは互いに交差している。
【００３６】
図３の（ｂ）に示して上述したように、モータハウジング６の一部が欠損した際に、第１蛇腹紙９Ｂの一部がモータハウジング６の内壁面６ａに沿った方向に展開する。この時、第１蛇腹紙９Ｂは、第１山折り部１６の稜線１７に対して垂直な方向（図４に示す第１展開方向Ｄ１）に沿って展開する。また、第２蛇腹紙９Ｃは蛇腹形状を有するので、モータハウジング６の一部が欠損して、損傷領域１２Ａが第２蛇腹紙９Ｃに外力ＦＡを加えた際に、第１蛇腹紙９Ｂと同様に、第２山折り部２０の稜線２１に対して垂直な方向（図４に示す第２展開方向Ｄ２）に沿って展開する。
【００３７】
欠損領域１２Ｂが一方向に沿って長く延びている場合（例えば、欠損領域１２Ｂが上下方向に細長い場合）には、第１蛇腹紙９Ｂが上下方向に沿って展開することで欠損領域１２Ｂを覆うことができる。しかし、欠損領域１２Ｂが一方向だけでなく、この一方向とは異なる方向（例えば、車幅方向）にも沿って長く延びている場合には、第１蛇腹紙９Ｂが上下方向に沿って展開するだけでは欠損領域１２Ｂを覆えない可能性がある。第３実施形態によれば、第２山折り部２０の稜線２１は第１山折り部１６の稜線１７と交差するので、第２蛇腹紙９Ｃは第１蛇腹紙９Ｂとは異なる方向に沿って展開する。よって、欠損領域１２Ｂが複数方向（例えば、上下方向及び車幅方向）に沿って長く延びていても、第１蛇腹紙９Ｂ及び第２蛇腹紙９Ｃの両方が展開することで、第１蛇腹紙９Ｂだけが展開する場合と比較して欠損領域１２Ｂをより確実に覆うことができる。このため、モータハウジング６の一部が欠損する際にステータ５が電動モータ１の外部に露出することをさらに防止できる。
【００３８】
（第４実施形態）
図５を用いて、本発明の第４実施形態に係る電動モータ１について説明する。第４実施形態において、第１実施形態〜第３実施形態の構成要件と同じものは同じ参照符号を付し、その詳細な説明は省略する。図５の（ａ）には、本発明の第４実施形態に係る電動モータ１に設けられる絶縁部材９の構成が示されている。図５の（ｂ）には、衝突物１００が電動モータ１に衝突した際に、この絶縁部材９の構成によって導かれる作用が示されている。
【００３９】
図５の（ａ）に示すように、モータハウジング６の内壁面６ａには接着層２７が貼り付けられている。収容空間１０に面する側の接着層２７の表面２７ａには、複数の絶縁紙９Ｄのそれぞれが、モータハウジング６の内壁面６ａに面するように接合部２８を介して取り付けられている。接着層２７は、モータハウジング６の内壁面６ａと絶縁紙９Ｄとを接着するためのものであって、例えば、熱伝導接着剤からなる。接合部２８は、接着層２７の表面２７ａの一部から電動モータ１の内部（収容空間１０）に向かって突出しており、接着層２７とは反対側に絶縁紙９Ｄが取り付けられている。絶縁部材９は複数の絶縁紙９Ｄ（９）を含んでおり、複数の絶縁紙９Ｄのうち少なくとも２つ（例えば第１絶縁紙９Ｄ１及び第２絶縁紙９Ｄ２）が互いに部分的に重なって配置されている。尚、接合部２８は、接着層２７と同様に熱伝導接着剤からなっていてもよい。また、接着層２７及び接合部２８は熱伝導性を有するものには限定されず、他の実施形態では接着層２７及び接合部２８は熱伝導性を有していなくてもよい。また、接着層２７及び接合部２８は熱伝導性に加えて耐油性を有していてもよい。
【００４０】
図５の（ｂ）に示すように、衝突物１００が電動モータ１に衝突し、モータハウジング６の一部が衝突力Ｆによって欠損すると、損傷領域１２Ａは、収容空間１０に向かっていくように曲げられ、外力ＦＡが第１絶縁紙９Ｄ１及び第２絶縁紙９Ｄ２に伝えられる。第１絶縁紙９Ｄ１及び第２絶縁紙９Ｄ２は、外力ＦＡが伝えられると、互いに部分的に重なっている範囲が狭くなるように、互いに対してスライドするようにしてモータハウジング６の内壁面６ａに沿った方向に展開する。そして、モータハウジング６の内壁面６ａに沿った方向に展開した第１絶縁紙９Ｄ１及び第２絶縁紙９Ｄ２が、欠損部分１２において損傷領域１２Ａ，１２Ａ間に生じた欠損領域１２Ｂを覆う。
【００４１】
第４実施形態によれば、電動モータ１の外部からの衝撃によってモータハウジング６の一部が欠損して、損傷領域１２Ａが第１絶縁紙９Ｄ１及び第２絶縁紙９Ｄ２に外力ＦＡを加えたとしても、第１絶縁紙９Ｄ１及び第２絶縁紙９Ｄ２が互いに部分的に重なって配置されるので、この重なっている部分が互いに対してスライドするようにしてモータハウジング６の内壁面６ａに沿った方向に展開し、欠損領域１２Ｂを覆うことができる。このため、モータハウジング６の一部が欠損する際にステータ５が電動モータ１の外部に露出することを防止できる。
【００４２】
（第５実施形態）
図６及び図７を用いて、本発明の第５実施形態に係る電動モータ１について説明する。図７の（ａ）は、図６に示す絶縁部材９を矢印Ａの方向から視たときの図であって、衝突物１００が電動モータ１に衝突する前の絶縁部材９の状態を示している。図７の（ｂ）は、衝突物１００が電動モータ１に衝突した後の絶縁部材９の状態を示している。第５実施形態において、第１実施形態〜第４実施形態の構成要件と同じものは同じ参照符号を付し、その詳細な説明は省略する。図６には、本発明の第５実施形態に係る電動モータ１に設けられる絶縁部材９の構成が示され、図７にはこの絶縁部材９の構成によって導かれる作用が示されている。
【００４３】
図６に示すように、絶縁部材９は、延性シート９Ａと絶縁紙９Ｄとを含む。延性シート９Ａは、モータハウジング６の内壁面６ａに貼り付けられ、モータハウジング６よりも延性が高い。絶縁紙９Ｄは、延性シート９Ａを挟んでモータハウジング６の内壁面６ａとは反対側に延性シート９Ａに貼り付けられる。第５実施形態では、図７の（ａ）に示すように、絶縁紙９Ｄは六角形形状を有しているが、六角形形状に限定されず、任意の形状であってもよい。
【００４４】
延性シート９Ａは、モータハウジング６の一部が欠損した際に、欠損領域１２Ｂを覆う（参照図２）。このため、電動モータ１に対して衝突物１００が衝突すると、図７の（ｂ）に示すように、延性シート９Ａが延びることで、延性シート９Ａは欠損領域１２Ｂを覆うとともに、延性シート９Ａに貼り付けられている絶縁紙９Ｄは破断することなく欠損領域１２Ｂを覆うことができる。このように、第５実施形態によれば、延性シート９Ａ及び絶縁紙９Ｄの両方で欠損領域１２Ｂを覆うことができるので、絶縁部材９全体としての絶縁性の強化を図ることができる。また、絶縁紙９Ｄは延性シート９Ａを挟んでモータハウジング６の内壁面６ａとは反対側に延性シート９Ａに貼り付けられるので、延性シート９Ａ又は絶縁紙９Ｄのうち何れか一方が破損したとしてても、他方によってステータ５が電動モータ１の外部に露出することを防止できる。
【００４５】
（第６実施形態）
図８及び図９を用いて、本発明の第６実施形態に係る電動モータ１ついて説明する。第６実施形態において、第１実施形態〜第５実施形態の構成要件と同じものは同じ参照符号を付し、その詳細な説明は省略する。図８には、本発明の第６実施形態に係る電動モータ１に設けられる絶縁部材９の構成が示され、図９にはこの絶縁部材９の構成によって導かれる作用が示されている。
【００４６】
図８に示すように、絶縁部材９は、延性シート９Ａと絶縁紙９Ｄとを含む。延性シート９Ａは、モータハウジング６の内壁面６ａに沿った方向に間隔を空けてモータハウジング６の内壁面６ａに貼り付けられ、モータハウジング６よりも延性が高い。絶縁紙９Ｄは、モータハウジング６の内壁面６ａに沿った方向に隣り合う延性シート９Ａ同士を連結するように設けられる。
【００４７】
延性シート９Ａは、モータハウジング６の一部が欠損した際に、モータハウジング６の内壁面６ａに沿った方向に延びる。このため、電動モータ１に対して衝突物１００が衝突したとしても、図９に示すように、延性シート９Ａがモータハウジング６の内壁面６ａに沿った方向に延びることで、延性シート９Ａ同士を連結する絶縁紙９Ｄは破断されずに済む。よって、延性シート９Ａ及び絶縁紙９Ｄの両方で欠損領域１２Ｂを覆うことができる。このように、第６実施形態によれば、延性シート９Ａ及び絶縁紙９Ｄの両方で欠損領域１２Ｂを覆うことができるので、絶縁部材９全体としての絶縁性の強化を図ることができる。
【００４８】
第４〜第６実施形態で説明した絶縁紙９Ｄは、第１蛇腹紙９Ｂのように、電動モータ１の外部に向かって突出して鋭角を形成するように折り曲げられるとともに、内壁面６ａから収容空間１０に向かって離れるように突出して鋭角を形成するように折り曲げられていてもよい。
【００４９】
以上、本発明の第１〜第６実施形態に係る電動モータについて説明したが、本発明は上記の形態に限定されるものではなく、本発明の目的を逸脱しない範囲での種々の変更が可能である。
【符号の説明】
【００５０】
１      電動モータ
２      軸受
３      回転軸
４      ロータ
５      ステータ
６      モータハウジング
６ａ    内壁面
８      ウォータージャケット
９      絶縁部材
９Ａ    延性シート
９Ｂ    第１蛇腹紙
９Ｃ    第２蛇腹紙
９Ｄ    絶縁紙
９Ｄ１  第１絶縁紙
９Ｄ２  第２絶縁紙
１０    収容空間
１２    欠損部分
１２Ａ  損傷領域
１２Ｂ  欠損領域
１４    変形部
１６    第１山折り部
１７    第１山折り部の稜線
１８    第１谷折り部
２０    第２山折り部
２１    第２山折り部の稜線
２２    第２谷折り部
２７    接着層
２８    接合部
１００  衝突物
Ｄ１    第１展開方向
Ｄ２    第２展開方向
Ｆ      衝突力
ＦＡ    外力
【図１】
2020093561.tif 000003
【図２】
2020093561.tif 000004
【図３】
2020093561.tif 000005
【図４】
2020093561.tif 000006
【図５】
2020093561.tif 000007
【図６】
2020093561.tif 000008
【図７】
2020093561.tif 000009
【図８】
2020093561.tif 000010
【図９】
2020093561.tif 000011